(57)【特許請求の範囲】
【請求項１】
第１の口座に関する情報である第１口座情報と、第２の口座に関する情報である第２口座情報と、を記憶する口座情報記憶手段と、
一のイベントが発生したことに起因して前記第１の口座から前記第２の口座へ資金を移動させる資金移動指示であって、前記第１の口座から前記第２の口座へ移動させる金額である振替金額、前記資金移動指示を行うときのユーザーのメンタル上の肯定的評価又は否定的評価を区別する指標である心理的プラス・マイナス情報及び前記ユーザーのメンタル上の損得度を定量評価する指標である定量的評価情報を含む前記資金移動指示を受け付ける資金移動指示受付手段と、
前記第１口座情報、前記第２口座情報及び前記資金移動指示に基づいて、前記振替金額について、前記第１の口座から出金して前記第２の口座へ入金する指示を行う振替指示手段と、
前記資金移動指示に基づいて、前記第２口座情報として、前記心理的プラス・マイナス情報、前記振替金額及び前記定量的評価情報を関連付けて登録する振替情報登録手段と、を有することを特徴とする資金移動管理装置。
【請求項２】
前記一のイベントが発生したことを知らせる通知を受信するイベント通知受信手段を有し、
前記資金移動指示が、前記通知を特定する通知特定情報を含み、
前記振替情報登録手段が、前記第２口座情報として、前記通知特定情報を前記資金移動指示に含まれる他の情報に関連付けて登録することを特徴とする請求項１に記載の資金移動管理装置。
【請求項３】
前記通知特定情報が、前記第１の口座に関連付けて記帳される取引が発生したことを知らせる、前記第１の口座を管理する金融機関からの通知であることを特徴とする請求項２に記載の資金移動管理装置。
【請求項４】
前記一のイベントが、ユーザーの関心のある事項の情報であることを特徴とする請求項２又は３に記載の資金移動管理装置。
【請求項５】
前記振替情報登録手段が、前記第２口座情報として、ユーザー操作に基づき受け付ける情報を前記資金移動指示に含まれる情報に関連付けて登録することを特徴とする１乃至４の何れか一に記載の資金移動管理装置。
【請求項６】
第１の口座に関する情報である第１口座情報と、第２の口座に関する情報である第２口座情報と、を記憶する口座情報記憶手段を有するコンピューターにおいて行われる資金移動管理方法であって、
資金移動指示受付手段が、一のイベントが発生したことに起因して前記第１の口座から前記第２の口座へ資金を移動させる資金移動指示であって、前記第１の口座から前記第２の口座へ移動させる金額である振替金額、前記資金移動指示を行うときのユーザーのメンタル上の肯定的評価又は否定的評価を区別する指標である心理的プラス・マイナス情報及び前記ユーザーのメンタル上の損得度を定量評価する指標である定量的評価情報を含む前記資金移動指示を受け付けるステップと、
振替指示手段が、前記第１口座情報、前記第２口座情報及び前記資金移動指示に基づいて、前記振替金額について、前記第１の口座から出金して前記第２の口座へ入金する指示を行うステップと、
振替情報登録手段が、前記資金移動指示に基づいて、前記第２口座情報として、前記心理的プラス・マイナス情報、前記振替金額及び前記定量的評価情報を関連付けて登録するステップと、を含む資金移動管理方法。
【請求項７】
イベント通知受信手段が、前記一のイベントが発生したことを知らせる通知を受信するステップをさらに含み、
前記資金移動指示が、前記通知を特定する通知特定情報を含み、
前記振替情報登録手段が、前記第２口座情報として、前記通知特定情報を前記資金移動指示に含まれる他の情報に関連付けて登録することを特徴とする請求項６に記載の資金移動管理方法。
【請求項８】
前記通知特定情報が、前記第１の口座に関連付けて記帳される取引が発生したことを知らせる、前記第１の口座を管理する金融機関からの通知であることを特徴とする請求項７に記載の資金移動管理方法。
【請求項９】
前記一のイベントが、ユーザーの関心のある事項の情報であることを特徴とする請求項７又は８に記載の資金移動管理方法。
【請求項１０】
前記振替情報登録手段が、前記第２口座情報として、ユーザー操作に基づき受け付ける情報を前記資金移動指示に含まれる情報に関連付けて登録することを特徴とする６乃至９の何れか一に記載の資金移動管理方法。
【請求項１１】
コンピューターに、請求項６乃至１０の何れか一に記載の方法を実行させるための資金移動管理プログラム。
【発明の詳細な説明】
【技術分野】
【０００１】
種々の出来事の発生に関連して行った口座間の資金移動に関する情報と、種々の出来事に対してユーザーが抱く思いに関する情報と、を関連付けて取得し、貯金を促進し管理する技術に関する。
【背景技術】
【０００２】
従来、銀行等の金融機関は決済情報などの膨大なパーソナルデータを保有しているところ、このようなビックデータを活用して新たなサービスの創造が期待される。ただし、このようなビックデータに、新サービスを創造する上で重要と思われる利用者の心理情報に関しては含まれていない。
【０００３】
一方日本では、社会の低成長や低金利環境を背景に、預貯金に頼らない資産形成の重要性が叫ばれているところではあるが、資産運用教育の不十分さもあり、投資行動の普及はなかなか進んでいないのが実情である。そのような中、日本では古くから、中・長期的な資産形成活動の一環として目的・目標の達成のために、何時でも貯金が出来る貯金箱が用いられることが有る。
【０００４】
他方、貯金箱に関するアイデアが種々提案されており、例えば、特許文献１では、利用者に対して貯蓄を効率良く行わせることを目的として、貯蓄支援装置なるものが提案されている。
【先行技術文献】
【特許文献】
【０００５】
【特許文献１】特開２０１８−１０６４１６号公報
【発明の概要】
【発明が解決しようとする課題】
【０００６】
しかしながら、上記の従来技術においては、ユーザーが貯金しようとする動機を促進する事が考慮されておらず、また、所謂ビックデータを利用した新サービス創出の素となり得る心理的情報を取り扱うことができないという問題点があった。
【０００７】
そこで本発明では、上記問題点に鑑み、預貯金・デジタルマネー・仮想通貨等を取り扱う金融機関のユーザーが種々の出来事の情報の通知に起因して貯金しようとする動機を促進し、また、ユーザーが抱く心理的要素が付加された貯金箱（資金振替）に関するデータを取得する資金移動管理装置を提供することを目的とする。
【課題を解決するための手段】
【０００８】
開示する資金移動管理装置の一形態は、第１の口座に関する情報である第１口座情報と、第２の口座に関する情報である第２口座情報と、を記憶する口座情報記憶手段と、一のイベントが発生したことに起因して前記第１の口座から前記第２の口座へ資金を移動させる資金移動指示であって、前記第１の口座から前記第２の口座へ移動させる金額である振替金額、前記資金移動指示を行うときのユーザーのメンタル上の肯定的評価又は否定的評価を区別する指標である心理的プラス・マイナス情報及び前記ユーザーのメンタル上の損得度を定量評価する指標である定量的評価情報を含む前記資金移動指示を受け付ける資金移動指示受付手段と、前記第１口座情報、前記第２口座情報及び前記資金移動指示に基づいて、前記振替金額について、前記第１の口座から出金して前記第２の口座へ入金する指示を行う振替指示手段と、前記資金移動指示に基づいて、前記第２口座情報として、前記心理的プラス・マイナス情報、前記振替金額及び前記定量的評価情報を関連付けて登録する振替情報登録手段と、を有することを特徴とする。
【発明の効果】
【０００９】
開示する資金移動管理装置は、預貯金・デジタルマネー・仮想通貨等を取り扱う金融機関のユーザーが種々の出来事の情報の通知に起因して貯金しようとする動機を促進し、また、ユーザーが抱く心理的要素が付加された貯金箱（資金振替）に関するデータを取得することができる。
【図面の簡単な説明】
【００１０】
【図１】本実施の形態に係る資金移動管理装置の概要を説明する図である。
【図２】本実施の形態に係る資金移動管理装置の機能ブロック図である。
【図３】本実施の形態に係る口座情報記憶手段を説明する図である。
【図４】本実施の形態に係る資金移動管理装置のハードウエア構成例を示す図である。
【図５】本実施の形態に係る資金移動管理装置による処理の流れを示すフローチャートである。
【発明を実施するための形態】
【００１１】
図面を参照しながら、本発明を実施するための形態について説明する。
（本実施の形態に係る資金移動管理装置の動作原理）
【００１２】
図１を用いて、本実施の形態に係る資金移動管理装置（以下、単に「本装置」という。）の動作原理について説明する。図１は、本装置１００と他装置との接続関係を示す図である。
【００１３】
図１で示すように、本装置１００は、通信ネットワーク３４０を介して、金融機関が管理するサーバー装置３１０、ユーザー３２０が操作するユーザー端末３３０と接続される。ここで、通信ネットワーク３４０は、有線方式の形態であっても良く、無線方式の形態であっても良い。ユーザー端末３３０は、スマートホンのような携帯情報端末であっても良く、デスクトップ型・ノート型のようなパーソナルコンピューターであっても良い。
【００１４】
本装置１００は、ある事象の発生に伴ってユーザー３２０が貯金行為を行いたいと欲するとき、サーバー装置３１０に対し、決済用口座２１０から貯金用口座２３０へ資金振替の指示を行い、サーバー装置３１０は、本装置１００による指示に従って口座間の資金移動を行う。また、本装置１００は、ユーザー３２０による資金振替の指示と共に、その貯金行為の原因となった事象や貯金行為を行うに際しての気分・気持ちを表す情報も受け取り、受け取った情報を関連付けて記憶する。なお、本装置１００とサーバー装置３１０とが同一である形態であっても良く、異なる形態であっても良い。
【００１５】
本装置１００が記憶する上記情報は、新サービス創出の素となり得る心理的情報を含む所謂ビックデータであり、このようなビックデータを活用して新たなサービスの創造が期待される。このように本装置１００は、預貯金・デジタルマネー・仮想通貨等を取り扱う金融機関３１０の利用者３２０が抱く心理的要素が付加された貯金箱（資金振替）に関するデータを取得することが可能である。
【００１６】
図２は、本装置１００の機能ブロック図である。図２で示すように、本装置１００は、口座情報記憶手段１１０、イベント通知受信手段１２０、資金移動指示受付手段１３０、振替指示手段１４０、振替情報登録手段１５０を有する。
【００１７】
口座情報記憶手段１１０は、第１の口座２１０に関する情報である第１口座情報２２０と、第２の口座２３０に関する情報である第２口座情報２４０と、を記憶する。ここでいう口座とは、預貯金・デジタルマネー・仮想通貨等を取り扱う金融機関に開設される口座のことをいう。第１の口座２１０は、所謂決済用の口座である。第２の口座２３０は、所謂貯金用の口座である。
【００１８】
図３で示すように、第１口座情報２２０は、例えば、金融機関識別情報、支店識別情報、第１の口座２１０を識別する口座識別情報（当座・普通等の別、口座番号等）、残高情報、取引情報（日付含む）等が関連付けられた情報である。なお、金融機関識別情報とは、銀行等の金融機関を識別するための情報であって、例えば、銀行名等が該当する。
【００１９】
図３で示すように、第２口座情報２４０は、例えば、金融機関識別情報、支店識別情報、第２の口座２３０を識別する口座識別情報、紐付けられる第１の口座２１０を識別する口座識別情報、残高情報、取引情報（日付含む）、心理的プラス・マイナス情報２９０、定量的評価情報３００、備考情報等が関連付けられた情報である。
【００２０】
心理的プラス・マイナス情報２９０とは、本装置１００による処理によって貯金を行うときのユーザー３２０のメンタル上の肯定的評価又は否定的評価を区別する指標であり、例えば、メンタル上の肯定的評価を表す「＋」やメンタル上の否定的評価を表す「−」などの情報である。定量的評価情報３００は、本装置１００による処理によって貯金を行うときのユーザー３２０のメンタル上の損得度を定量評価する指標であり、例えば、「１０」や「５」の段階評価の結果などの情報である。心理的プラス・マイナス情報２９０は、振替金額２８０と組み合わせて貯金行為の金銭的評価を表すが、定量的評価情報３００は、ユーザー３２０の資産額によって左右されずに貯金行為の評価を表すものである。
【００２１】
第２口座情報２４０における備考情報とは、例えば、貯金行為を行う原因となった取引内容、具体的な商品・サービスの名称、店舗の名称、ユーザー３２０の感想、レシートデータ、写真などの画像データ等、ユーザー３２０が貯金行為に紐付けて備忘録的に書き留める情報が想定される。
【００２２】
イベント通知受信手段１２０は、イベント２５０が発生したことを知らせる通知を受信する。イベント２５０は、発生する種々の事象のことであり、例えば、デビットカードによる決済など第１の口座２１０に関連付けて記帳される取引、ユーザーの関心のある事項の情報である。イベント通知受信手段１２０へイベント２５０が発生したことを知らせる通知主体は、第１の口座２１０を管理する金融機関３１０、ＳＮＳ（Social Networking Service）、ニュース発信サイト等、特に限定されるものではない。
【００２３】
資金移動指示受付手段１３０は、イベント２５０が発生したことに起因して第１の口座２１０から第２の口座２３０へ資金を移動させる資金移動指示２７０を受け付ける。なお、第１の口座２１０から第２の口座２３０へ資金を移動させる行為を貯金行為という。資金移動指示２７０は、第１の口座２１０から第２の口座２３０へ移動させる金額である振替金額２８０、心理的プラス・マイナス情報２９０及び定量的評価情報３００を含む。また、資金移動指示２７０は、イベント通知受信手段１２０によって受信され、イベント２５０が発生したことを知らせる通知を特定する通知特定情報２６０を含む。
【００２４】
振替指示手段１４０は、第１口座情報２２０、第２口座情報２４０及び資金移動指示２７０に基づいて、振替金額２８０について、第１の口座２１０から出金して第２の口座２３０へ入金する指示を行う。振替指示手段１４０は、第１の口座２１０、第２の口座２３０を管理する金融機関３１０へ指示を行う形態としても良いし、本装置１００が備える第１の口座２１０、第２の口座２３０を管理するシステムに対し指示を行う形態としても良い。振替指示手段１４０は、口座情報記憶手段１１０が備える第１口座情報２２０及び第２口座情報２４０を利用することによって、出金すべき第１の口座２１０、入金すべき第２の口座２３０を特定する。
【００２５】
振替情報登録手段１５０は、資金移動指示２７０に基づいて、第２口座情報２４０として、心理的プラス・マイナス情報２９０、振替金額２８０、定量的評価情報３００、通知特定情報２６０、その他ユーザー３２０の操作に基づき受け付ける情報を関連付けて口座情報記憶手段１１０に登録する。振替情報登録手段１５０は、第２口座情報２４０として、貯金行為を行う原因となった取引内容、具体的な商品・サービスの名称、店舗の名称、ユーザー３２０の感想、レシートデータ、写真などの画像データ等、ユーザー３２０が貯金行為に紐付けて備忘録的に書き留める情報などを備忘情報として口座情報記憶手段１１０に登録する形態としても良い。
【００２６】
本装置１００は、上記した動作原理に基づいて、預貯金・デジタルマネー・仮想通貨等を取り扱う金融機関３１０の利用者３２０が抱く心理的要素が付加された貯金箱（資金振替）に関するデータを取得することができる。本装置１００が記憶する情報は、新サービス創出の素となり得る心理的情報を含む所謂ビックデータであり、このようなビックデータを活用して新たなサービスの創造が期待される。
【００２７】
ユーザー３２０は、イベント２５０の発生の通知に起因して貯金をしようとする動機が促進されることが期待される。また、第２口座情報２４０は、ユーザー３２０の性格に合った資産形成活動の有用な情報として活用できると想定される。
（本実施の形態に係る資金移動管理装置のハードウエア構成）
【００２８】
図４を用いて、本装置１００のハードウエア構成例について説明する。図４は、本装置１００のハードウエア構成の一例を示す図である。図４で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、表示装置４７０、記憶媒体Ｉ／Ｆ４８０を有する。
【００２９】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００３０】
補助記憶装置４４０は、基本ソフトウエアであるＯＳ（Operating System）や本実施の形態に係るアプリケーションプログラムなどを、関連するデータとともに記憶する装置である。補助記憶装置４４０は、記憶手段１１０を含むと考えても良く、例えば、ＨＤＤ（Hard Disk Drive）やフラッシュメモリなどである。
【００３１】
通信Ｉ／Ｆ４５０は、有線・無線ＬＡＮ（Local Area Network）、インターネットなどの通信ネットワーク３４０に接続し、通信機能を提供する他装置３１０、３３０などとデータの授受を行うためのインターフェースである。
【００３２】
入力装置４６０は、キーボードなど本装置１００にデータ入力を行うための装置である。表示装置（出力装置）４７０は、ＬＣＤ（Liquid Crystal Display）等で構成される装置であり、本装置１００が有する機能をユーザーが利用する際や各種設定を行う際のユーザーインターフェースとして機能する装置である。記憶媒体Ｉ／Ｆ４８０は、ＣＤ−ＲＯＭ、ＤＶＤ−ＲＯＭ、ＵＳＢメモリなどの記憶媒体４９０とデータの送受信を行うためのインターフェースである。
【００３３】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記憶媒体Ｉ／Ｆ４８０を介して記憶媒体４９０から本発明に係るプログラムを読み込ませたりして、本装置１００に当該プログラムを実行させる形態としても良い。
（本実施の形態に係る資金移動管理装置による処理例）
図５を用いて、本装置１００による処理例について説明する。図５は、本装置１００により処理の一例の流れを示すフローチャートである。
【００３４】
Ｓ１０でイベント通知受信手段１２０が、イベント２５０が発生したことを知らせる通知を受信する場合（Ｓ１０でＹｅｓ）、処理はＳ２０へ移行する。Ｓ１０でイベント通知受信手段１２０が、イベント２５０が発生したことを知らせる通知を受信しない場合（Ｓ１０でＮｏ）、処理はＳ６０へ移行する。
【００３５】
Ｓ１０でＹｅｓの場合、イベント通知受信手段１２０は、例えば、デビットカードによる決済など第１の口座２１０に関連付けて記帳される取引、ユーザーの関心のある事項の情報のような発生する種々の事象２５０が発生したことを知らせる通知を受信する。なお、通知主体は、第１の口座２１０を管理する金融機関３１０、ＳＮＳ（Social Networking Service）、ニュース発信サイト等、特に限定されるものではない。
【００３６】
Ｓ２０で資金移動指示受付手段１３０が、Ｓ１０において通知されたようなイベント２５０が発生したことに起因して第１の口座２１０から第２の口座２３０へ資金を移動させる資金移動指示２７０を受け付ける場合（Ｓ２０でＹｅｓ）、処理はＳ３０へ移行する。一方、Ｓ２０で資金移動指示受付手段１３０が、Ｓ１０において通知されたようなイベント２５０が発生したことに起因して第１の口座２１０から第２の口座２３０へ資金を移動させる資金移動指示２７０を受け付けない場合（Ｓ２０でＮｏ）、本装置１００による処理は終了する。
【００３７】
Ｓ３０で資金移動指示受付手段１３０が、イベント２５０が発生したことに起因して第１の口座２１０から第２の口座２３０へ資金を移動させる資金移動指示２７０を受け付ける。資金移動指示２７０は、第１の口座２１０から第２の口座２３０へ移動させる金額である振替金額２８０、心理的プラス・マイナス情報２９０及び定量的評価情報３００を含む。また、資金移動指示２７０は、イベント通知受信手段１２０によって受信され、イベント２５０が発生したことを知らせる通知を特定する通知特定情報２６０を含む。
【００３８】
Ｓ４０で振替指示手段１４０が、第１口座情報２２０、第２口座情報２４０及びＳ３０において受け付けた資金移動指示２７０に基づいて、振替金額２８０について、第１の口座２１０から出金して第２の口座２３０へ入金する指示を行う。
【００３９】
振替指示手段１４０は、第１の口座２１０、第２の口座２３０を管理する金融機関３１０へ指示を行う形態としても良いし、本装置１００が備える第１の口座２１０、第２の口座２３０を管理するシステムに対し指示を行う形態としても良い。振替指示手段１４０は、口座情報記憶手段１１０が備える第１口座情報２２０及び第２口座情報２４０を利用することによって、出金すべき第１の口座２１０、入金すべき第２の口座２３０を特定する。
【００４０】
Ｓ５０で振替情報登録手段１５０が、Ｓ３０において受け付けた資金移動指示２７０に基づいて、第２口座情報２４０として、心理的プラス・マイナス情報２９０、振替金額２８０、定量的評価情報３００、通知特定情報２６０、その他ユーザー３２０の操作に基づき受け付ける情報を関連付けて口座情報記憶手段１１０に登録する。
【００４１】
振替情報登録手段１５０は、第２口座情報２４０として、貯金行為を行う原因となった取引内容、具体的な商品・サービスの名称、店舗の名称、ユーザー３２０の感想、レシートデータ、写真などの画像データ等、ユーザー３２０が貯金行為に紐付けて備忘録的に書き留める情報などを備忘情報として口座情報記憶手段１１０に登録する形態としても良い。
【００４２】
Ｓ６０で資金移動指示受付手段１３０が、何かしらの事象２５０が発生したことに起因して第１の口座２１０から第２の口座２３０へ資金を移動させる資金移動指示２７０を受け付ける場合（Ｓ６０でＹｅｓ）、処理はＳ７０へ移行する。一方、Ｓ６０で資金移動指示受付手段１３０が、資金移動指示２７０を受け付けない場合（Ｓ６０でＮｏ）、本装置１００による処理は終了する。
【００４３】
Ｓ７０で資金移動指示受付手段１３０が、何らかの事象２５０が発生したことに起因して第１の口座２１０から第２の口座２３０へ資金を移動させる資金移動指示２７０を受け付ける。資金移動指示２７０は、第１の口座２１０から第２の口座２３０へ移動させる金額である振替金額２８０、心理的プラス・マイナス情報２９０及び定量的評価情報３００を含む。
【００４４】
Ｓ８０で振替指示手段１４０が、第１口座情報２２０、第２口座情報２４０及びＳ７０において受け付けた資金移動指示２７０に基づいて、振替金額２８０について、第１の口座２１０から出金して第２の口座２３０へ入金する指示を行う。
【００４５】
振替指示手段１４０は、第１の口座２１０、第２の口座２３０を管理する金融機関３１０へ指示を行う形態としても良いし、本装置１００が備える第１の口座２１０、第２の口座２３０を管理するシステムに対し指示を行う形態としても良い。振替指示手段１４０は、口座情報記憶手段１１０が備える第１口座情報２２０及び第２口座情報２４０を利用することによって、出金すべき第１の口座２１０、入金すべき第２の口座２３０を特定する。
【００４６】
Ｓ９０で振替情報登録手段１５０が、Ｓ７０において受け付けた資金移動指示２７０に基づいて、第２口座情報２４０として、心理的プラス・マイナス情報２９０、振替金額２８０、定量的評価情報３００、その他ユーザー３２０の操作に基づき受け付ける情報を関連付けて口座情報記憶手段１１０に登録する。
【００４７】
振替情報登録手段１５０は、第２口座情報２４０として、貯金行為を行う原因となった取引内容、具体的な商品・サービスの名称、店舗の名称、ユーザー３２０の感想、レシートデータ、写真などの画像データ等、ユーザー３２０が貯金行為に紐付けて備忘録的に書き留める情報などを備忘情報として口座情報記憶手段１１０に登録する形態としても良い。
【００４８】
上記のような処理によって、本装置１００は、預貯金・デジタルマネー・仮想通貨等を取り扱う金融機関３１０の利用者３２０が抱く心理的要素が付加された貯金箱（資金振替）に関するデータを取得することができる。本装置１００が記憶する情報は、新サービス創出の素となり得る心理的情報を含む所謂ビックデータであり、このようなビックデータを活用して新たなサービスの創造が期待される。
【００４９】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５０】
１００  資金移動管理装置
１１０  口座情報記憶手段
１２０  イベント通知受信手段
１３０  資金移動指示受付手段
１４０  振替指示手段
１５０  振替情報登録手段
２１０  第１の口座
２２０  第１口座情報
２３０  第２の口座
２４０  第２口座情報
２５０  イベント
２６０  通知特定情報
２７０  資金移動指示
２８０  振替金額
２９０  心理的プラス・マイナス情報
３００  定量的評価情報
３１０  金融機関（が管理するサーバー装置）
３２０  ユーザー
３３０  ユーザー端末
３４０  通信ネットワーク
４１０  ＣＰＵ
４２０  ＲＯＭ
４３０  ＲＡＭ
４４０  補助記憶装置
４５０  通信インターフェース
４６０  入力装置
４７０  出力装置
４８０  記憶媒体インターフェース
４９０  記憶媒体
【要約】      （修正有）【課題】金融機関のユーザーが種々の出来事の情報の通知に起因して貯金しようとする動機を促進し、また、ユーザーが抱く心理的要素が付加された貯金箱（資金振替）に関するデータを取得する資金移動管理装置を提供する。【解決手段】一のイベントが発生したことに起因して第１の口座から第２の口座へ資金を移動させる資金移動指示であって、第１の口座から第２の口座への振替金額、資金移動指示を行うときのユーザーのメンタル上の肯定的評価又は否定的評価を区別する心理的プラス・マイナス情報及びユーザーのメンタル上の損得度を定量評価する定量的評価情報を含む資金移動指示を受け付ける手段と、資金移動指示に基づいて、振替金額について、第１の口座から出金して第２の口座へ入金する指示を行う手段と、資金移動指示に基づいて、第２口座情報として、心理的プラス・マイナス情報、振替金額及び定量的評価情報を関連付けて登録する手段と、を有する。【選択図】図２【図１】
0006718012.tif 000002
【図２】
0006718012.tif 000003
【図３】
0006718012.tif 000004
【図４】
0006718012.tif 000005
【図５】
0006718012.tif 000006